(57)【要約】      （修正有）【課題】生体分子マイクロアレイに生体分子固定化領域をもつ基板及び生体分子の相互作用を高速に行い、微量サンプルの相互作用を促進させ、高速・高感度に相互作用を検出し解析する手段を提供する。【解決手段】生体分子固定化用スポットを有する生体分子マイクロアレイ用基板。該スポットは、例えば、基板表面に突出し、頂上にスポット用平面を有し、該スポット部周辺の基板表面、突出スポット部側面、及びスポット用平面は、導電性物質からなる。該基板及び生体分子を含み、生体分子は、該基板上のスポット用平面に固定化されている該アレイ。基板上に生体分子固定化スポットを有する該アレイ、該アレイの生体分子固定化スポットを有する面に対向するように設けられた電極、及び該アレイと該電極との間に電界を印加する電源を有する生体分子の相互作用促進用装置。該装置を用いる生体分子の相互作用促進方法。生体分子の相互作用方法とその検出。【選択図】なし【特許請求の範囲】
【請求項１】
基板表面に、生体分子固定化用スポットを１つ以上有する生体分子マイクロアレイ用基板であって、
前記生体分子固定化用スポットが、基板表面から突出し、かつ頂上にスポット用平面を有し（以下、「突出スポット部」という）、かつ
少なくとも、前記突出スポット部周辺の基板表面、突出スポット部側面、およびスポット用平面が、導電性物質からなることを特徴とする基板。
【請求項２】
前記突出スポット部周辺の基板表面が、略Ｖ字型底面を形成する請求項１に記載の基板。
【請求項３】
基板表面に、生体分子固定化用スポットを１つ以上有する生体分子マイクロアレイ用基板であって、
前記生体分子固定化用スポットが、基板表面から突出し、かつ頂上にスポット用平面を有し（以下、「突出スポット部」という）、
隣り合う突出スポット部は、突出スポット部側面によって隣接しており、かつ、
少なくとも、前記突出スポット部側面およびスポット用平面が、導電性物質からなることを特徴とする基板。
【請求項４】
前記導電性物質が、金、ニッケル、白金、銀、チタン、アルミニウム、ステンレス、銅、導電性酸化物、または導電性プラスチックである請求項１〜３のいずれか１項に記載の基板。
【請求項５】
前記基板は、基板全体が導電性物質からなるか、または、基板表面に導電性物質被覆層を有する請求項１〜４のいずれか１項に記載の基板。
【請求項６】
前記導電性被覆層を有する基板が、ガラス、金属、シリコン、またはプラスチックからなる請求項５に記載の基板。
【請求項７】
前記突出スポット部の高さが、１０〜５００μｍである請求項１〜６のいずれか１項に記載の基板。
【請求項８】
前記突出スポット部頂上のスポット用平面と前記突出スポット部側面とのなす角が、９０度以上である請求項１〜７のいずれか１項に記載の基板。
【請求項９】
前記スポット用平面が粗面化されている請求項１〜８のいずれか１項に記載の基板。
【請求項１０】
請求項１〜９のいずれか１項に記載の基板および生体分子を含み、生体分子は、前記基板上の少なくともスポット用平面に固定化されていることを特徴とする生体分子マイクロアレイ。
【請求項１１】
前記生体分子は、ＤＮＡ、ＲＮＡ、ＰＮＡ、蛋白、ポリペプチド、糖化合物、脂質、天然低分子、および合成低分子からなる群から選ばれる少なくとも一種である請求項１０に記載の生体分子マイクロアレイ。
【請求項１２】
基板上に１つ以上の生体分子固定化スポットを有する生体分子マイクロアレイ、
前記マイクロアレイの生体分子固定化スポットを有する面に対向するように設けられた電極、および
前記マイクロアレイと前記電極との間に電界を印加するための電源
を有する、生体分子の相互作用促進用装置であって、
前記生体分子マイクロアレイを構成する基板は、基板表面から突出し、かつ頂上にスポット用平面を有する生体分子固定化用スポット（以下、「突出スポット部」という）を有し、
少なくとも前記突出スポット部は導電性物質表面を有し、
前記スポット用平面の導電性物質表面に生体分子が固定化され、前記生体分子固定化スポットが形成されており、かつ
前記基板は、前記基板上の突出スポット部以外の表面に、前記突出スポット部の導電性物質表面と通電可能な端子を有することを特徴とする、生体分子の相互作用促進用装置。
【請求項１３】
前記基板上の突出スポット部以外の表面は、導電性物質被覆層を有し、前記端子は、前記導電性物質被覆層に含まれるか、または、前記導電性物質被覆層と通電可能であり、かつこの導電性物質被覆層と突出スポット部の導電性物質表面とは、一体の導電性物質被覆層として設けられている請求項１２に記載の装置。
【請求項１４】
前記生体分子マイクロアレイが、請求項１０または１１に記載の生体分子マイクロアレイである請求項１２または１３に記載の装置。
【請求項１５】
前記スポット用平面と電極との距離が、１〜５００μｍである請求項１２〜１４のいずれか１項に記載の装置。
【請求項１６】
前記マイクロアレイと電極との間に、非導電性スペーサーを有する請求項１２〜１５のいずれか１項に記載の装置。
【請求項１７】
前記マイクロアレイの生体分子スポットを有する面に対向するように設けられた電極が、透明電極である請求項１２〜１６のいずれか１項に記載の装置。
【請求項１８】
温度制御手段を更に有する請求項１２〜１７のいずか１項に記載の装置。
【請求項１９】
請求項１２〜１８のいずれか１項に記載の装置を用いる、生体分子の相互作用促進方法であって、
前記マイクロアレイと電極との間に、ターゲット生体分子を含む溶液を配置し、かつ、
前記マイクロアレイと電極との間に電界を印加することを特徴とする、生体分子の相互作用促進方法。
【請求項２０】
前記マイクロアレイと電極との間に印加される電界が、０．００１〜１０ＭＶ／ｍである請求項１９に記載の方法。
【請求項２１】
前記ターゲット生体分子が、蛍光標識されている請求項１９または２０に記載の方法。
【請求項２２】
前記ターゲット生体分子を含む溶液が、フェニルアラニン、ヒスチジン、カルノシン、およびアルギニンからなる群から選ばれる少なくとも１つのバッファー物質を含む、請求項１９〜２１のいずれか１項に記載の方法。
【請求項２３】
ターゲット生体分子と相互作用し得る環境下に置かれているか、または、ターゲット生体分子と相互作用し得る環境下に置かれていた請求項１０または１１に記載のマイクロアレイの各生体分子固定化スポット上の生体分子と前記ターゲット生体分子との間の相互作用を、共焦点型検出器によって検出することを特徴とする生体分子の相互作用の検出方法。
【請求項２４】
前記マイクロアレイは、請求項１９〜２２のいずれか１項に記載の方法を用いて、ターゲット生体分子と相互作用し得る環境下に置かれているか、または、ターゲット生体分子と相互作用し得る環境下に置かれていた、請求項２３に記載の方法。
【請求項２５】
前記固定化スポット上の生体分子および／または前記ターゲット生体分子が蛍光標識されている請求項２３または２４に記載の方法。
【請求項２６】
前記共焦点型検出器によって、マイクロアレイ表面の突出スポット部とそれ以外の部分の高さおよび／または形状の差による反射光強度の相違から、マイクロアレイ上の前記突出スポット部を反射像として検出する請求項２３〜２５のいずれか１項に記載の方法。
【請求項２７】
前記反射像として検出された突出スポット部からの蛍光を検出することにより、生体分子の相互作用を検出する請求項２６に記載の検出方法。
【請求項２８】
基板表面に生体分子が固定化されたスポットを１つ以上有する生体分子マイクロアレイにターゲット生体分子を含む溶液を接触させ、前記固定化された生体分子とターゲット生体分子とを相互作用させる方法であって、
前記ターゲット生体分子を含む溶液に、フェニルアラニンを含有させ、かつ、
前記生体分子固定化スポットに向けて溶液中のターゲット生体分子が泳動するように前記溶液に電界を印加して、前記相互作用を促進する、前記方法。
【請求項２９】
前記マイクロアレイが、生体分子固定化スポットを表面に設けた電極を基板上に有するものであり、前記基板上の電極と対向する電極を用い、かつ前記ターゲット生体分子を含む溶液が前記２つの電極と接触する状態で、前記電極間に前記電界の印加を行う請求項２８に記載の方法。
【請求項３０】
基板表面に生体分子が固定化されたスポットを１つ以上有する生体分子マイクロアレイにターゲット生体分子を含む溶液を接触させ、前記固定化された生体分子とターゲット生体分子とを相互作用させる方法であって、
前記ターゲット生体分子を含む溶液は、フェニルアラニン、ヒスチジン、カルノシン、およびアルギニンからなる群から選ばれる少なくとも１つのバッファー物質を含有し、
前記基板は、生体分子固定化スポットを設けた面と同一の面上に、少なくとも１つの対向する一対の電極を、前記一対の電極間に生体分子固定化スポットが位置するように設けたものであり、かつ
前記ターゲット生体分子を含む溶液が上記一対の電極と接触する状態で、上記電極間に電界の印加を行い、前記相互作用を促進する、前記方法。
【発明の詳細な説明】
【技術分野】
【０００１】
本発明は、生体分子固定の定量化及びデジタル解析が可能な生体分子マイクロアレイ用基板、前記基板に生体分子が固定されていることを特徴とする生体分子マイクロアレイ、前記マイクロアレイを用いる、生体分子の相互作用促進用装置および相互作用促進方法、ならびに、生体分子の相互作用の検出方法に関する。
【背景技術】
【０００２】
遺伝子診断や病原菌の特定、あるいは一塩基多型の検出等、ある種の核酸(ターゲット核酸)を検出する目的で、プローブ核酸とターゲット核酸とのハイブリダイゼーションが利用されている。近年、多数のプローブ核酸を基板に固定したＤＮＡチップやＤＮＡマイクロアレイが実用されるようになり、ターゲット核酸の検出に使用されている。
【０００３】
ＤＮＡチップやＤＮＡマイクロアレイの作製においては、基板にＤＮＡを多数スポットとして整列させて固定化する必要がある。ＤＮＡの固定化には、例えば、チオールを一本鎖ＤＮＡに接合させ、チオール化した一本鎖ＤＮＡを、例えば、金属基板に固定化する方法が取られている。そして、固定化されたＤＮＡに被検体であるターゲットＤＮＡを作用させ、ハイブリダイゼーションの有無を検出する。ハイブリダイゼーションの有無は、例えば、蛍光法を用いて、ターゲットＤＮＡとハイブリダイズした固定化ＤＮＡのスポットの蛍光を測定することによって検出することができる。
【０００４】
スポッティング型のDNAマイクロアレイは、プローブDNAを含む液滴を基板上に載せて乾かすことによって作製される（非特許文献１参照）。そのため、安価に作製できるという利点がある反面、基板上に固定されるDNAの均一さが保証されない、すなわち、DNA検出スポット部の寸法や形状がばらつくという欠点がある。これらの欠点は、例えばDNA固定化基板において基板全面にDNA固定化処理（PLL処理）がされていることや、また基板面が平らであることなどに起因する。
【０００５】
さらに、スポッティング型のDNAマイクロアレイの場合、DNA検出スポット部の周囲に付着した固相化剤の存在により、ターゲットDNAが非特異的に基板上に吸着し、ノイズの上昇を引き起こし、Ｓ／Ｎ比を低下させるという問題もあった（非特許文献１参照）。
【０００６】
また、蛍光測定時において、蛍光部分を特定するグリッディングという操作が行われる。グリッディングは、アレイ上のスポットの縦横の数やスポット間隔、スポットの直径の大きさを入力し、スポットを円で囲む操作をいう（非特許文献１参照）。しかし、スタンプ形状および位置が安定していないと、蛍光解析時のグリッディング操作に非常に時間がかかる上、正確な解析が困難となる。また、グリッディングは、スポットの位置がずれているとスポットを正確に囲むことが出来ないため、ソフトウェアに、自動で位置を補正する機能が付いている。しかるに、すべての操作が自動になっているわけではなく、手動でスポットの開始点の設定や目視によりすべてのスポットのグリット゛を確認し補正する必要がある。この操作は非常に煩雑であり、DNAスポットの数が数千以上になると非常に時間がかかる作業となり、解析スピードを遅らせる要因となっている。
【０００７】
一方、基板上に固定化されたプローブDNAと試料ターゲットDNAをハイブリダイゼーションさせるには、通常、十数時間要し、しかも、多量の試料ターゲットＤＮＡが必要とされる。そのため、ハイブリダイゼーション時間および大量の試料の調製に、莫大な時間と費用、労力が必要とされている。特に、低発現遺伝子の解析を行う場合、極めて多くのターゲット試料が必要となる。
【非特許文献１】「必ずデータが出るＤＮＡマイクロアレイ実践マニュアル  基本原理、チップ作製技術からバイオインフォマティクスまで」、第１版、羊土社、２００２年１２月１日、ｐ．１９−２１、３５、１０６−１０８
【発明の開示】
【発明が解決しようとする課題】
【０００８】
そこで本発明の目的は、生体分子マイクロアレイに一定形状の生体分子固定化領域をもつ基板及び生体分子の相互作用、特に核酸のハイブリダイゼーションを高速に行い、かつ微量サンプルの相互作用を促進させ、さらに高速・高感度に相互作用を検出し解析する手段を提供することである。
更に、本発明は、生体分子の相互作用を促進して、相互作用し得る生体分子間で効率的に相互作用を形成させることができる相互作用促進用装置および方法を提供することを目的とする。
更に、本発明は、グリッディング操作を自動で行う手段を提供することにより、生体分子マイクロアレイからの蛍光データの収集およびデジタル解析の自動化を可能にすることを目的とする。
より詳しくは、本発明は、高感度で生体分子の相互作用を検出でき、好ましくは、併せてグリッティングを自動で行うこともできる生体分子マイクロアレイ用基板、そのような基板に生体分子が固定化された生体分子マイクロアレイを提供することを目的とする。
更に、本発明は、グリッティングを自動で行うことを可能にする生体分子の相互作用の検出方法を提供することを目的とする。
【課題を解決するための手段】
【０００９】
上記本発明の目的を達成するための手段は、以下の通りである。
（１）基板表面に、生体分子固定化用スポットを１つ以上有する生体分子マイクロアレイ用基板であって、
前記生体分子固定化用スポットが、基板表面から突出し、かつ頂上にスポット用平面を有し（以下、「突出スポット部」という）、かつ
少なくとも、前記突出スポット部周辺の基板表面、突出スポット部側面、およびスポット用平面が、導電性物質からなることを特徴とする基板。
（２）前記突出スポット部周辺の基板表面が、略Ｖ字型底面を形成する（１）に記載の基板。
（３）基板表面に、生体分子固定化用スポットを１つ以上有する生体分子マイクロアレイ用基板であって、
前記生体分子固定化用スポットが、基板表面から突出し、かつ頂上にスポット用平面を有し（以下、「突出スポット部」という）、
隣り合う突出スポット部は、突出スポット部側面によって隣接しており、かつ、
少なくとも、前記突出スポット部側面およびスポット用平面が、導電性物質からなることを特徴とする基板。
（４）前記導電性物質が、金、ニッケル、白金、銀、チタン、アルミニウム、ステンレス、銅、導電性酸化物、または導電性プラスチックである（１）〜（３）のいずれかに記載の基板。
（５）前記基板は、基板全体が導電性物質からなるか、または、基板表面に導電性物質被覆層を有する（１）〜（４）のいずれか１項に記載の基板。
（６）前記導電性被覆層を有する基板が、ガラス、金属、シリコン、またはプラスチックからなる（５）に記載の基板。
（７）前記突出スポット部の高さが、１０〜５００μｍである（１）〜（６）のいずれかに記載の基板。
（８）前記突出スポット部頂上のスポット用平面と前記突出スポット部側面とのなす角が、９０度以上である（１）〜（７）のいずれかに記載の基板。
（９）前記スポット用平面が粗面化されている（１）〜（８）のいずれかに記載の基板。
（１０）（１）〜（９）のいずれか１項に記載の基板および生体分子を含み、生体分子は、前記基板上の少なくともスポット用平面に固定化されていることを特徴とする生体分子マイクロアレイ。
（１１）前記生体分子は、ＤＮＡ、ＲＮＡ、ＰＮＡ、蛋白、ポリペプチド、糖化合物、脂質、天然低分子、および合成低分子からなる群から選ばれる少なくとも一種である（１０）に記載の生体分子マイクロアレイ。
（１２）基板上に１つ以上の生体分子固定化スポットを有する生体分子マイクロアレイ、
前記マイクロアレイの生体分子固定化スポットを有する面に対向するように設けられた電極、および
前記マイクロアレイと前記電極との間に電界を印加するための電源
を有する、生体分子の相互作用促進用装置であって、
前記生体分子マイクロアレイを構成する基板は、基板表面から突出し、かつ頂上にスポット用平面を有する生体分子固定化用スポット（以下、「突出スポット部」という）を有し、
少なくとも前記突出スポット部は導電性物質表面を有し、
前記スポット用平面の導電性物質表面に生体分子が固定化され、前記生体分子固定化スポットが形成されており、かつ
前記基板は、前記基板上の突出スポット部以外の表面に、前記突出スポット部の導電性物質表面と通電可能な端子を有することを特徴とする、生体分子の相互作用促進用装置。
（１３）前記基板上の突出スポット部以外の表面は、導電性物質被覆層を有し、前記端子は、前記導電性物質被覆層に含まれるか、または、前記導電性物質被覆層と通電可能であり、かつこの導電性物質被覆層と突出スポット部の導電性物質表面とは、一体の導電性物質被覆層として設けられている（１２）に記載の装置。
（１４）前記生体分子マイクロアレイが、（１０）または（１１）に記載の生体分子マイクロアレイである（１２）または（１３）に記載の装置。
（１５）前記スポット用平面と電極との距離が、１〜５００μｍである（１２）〜（１４）のいずれかに記載の装置。
（１６）前記マイクロアレイと電極との間に、非導電性スペーサーを有する（１２）〜（１５）のいずれかに記載の装置。
（１７）前記マイクロアレイの生体分子スポットを有する面に対向するように設けられた電極が、透明電極である（１２）〜（１６）のいずれかに記載の装置。
（１８）温度制御手段を更に有する（１２）〜（１７）のいずかに記載の装置。
（１９）（１２）〜（１８）のいずれかに記載の装置を用いる、生体分子の相互作用促進方法であって、
前記マイクロアレイと電極との間に、ターゲット生体分子を含む溶液を配置し、かつ、
前記マイクロアレイと電極との間に電界を印加することを特徴とする、生体分子の相互作用促進方法。
（２０）前記マイクロアレイと電極との間に印加される電界が、０．００１〜１０ＭＶ／ｍである（１９）に記載の方法。
（２１）前記ターゲット生体分子が、蛍光標識されている（１９）または（２０）に記載の方法。
（２２）前記ターゲット生体分子を含む溶液が、フェニルアラニン、ヒスチジン、カルノシン、およびアルギニンからなる群から選ばれる少なくとも１つのバッファー物質を含む、（１９）〜（２１）のいずれかに記載の方法。
（２３）ターゲット生体分子と相互作用し得る環境下に置かれているか、または、ターゲット生体分子と相互作用し得る環境下に置かれていた（１０）または（１１）に記載のマイクロアレイの各生体分子固定化スポット上の生体分子と前記ターゲット生体分子との間の相互作用を、共焦点型検出器によって検出することを特徴とする生体分子の相互作用の検出方法。
（２４）前記マイクロアレイは、（１９）〜（２２）のいずれかに記載の方法を用いて、ターゲット生体分子と相互作用し得る環境下に置かれているか、または、ターゲット生体分子と相互作用し得る環境下に置かれていた、（２３）に記載の方法。
（２５）前記固定化スポット上の生体分子および／または前記ターゲット生体分子が蛍光標識されている（２３）または（２４）に記載の方法。
（２６）前記共焦点型検出器によって、マイクロアレイ表面の突出スポット部とそれ以外の部分の高さおよび／または形状の差による反射光強度の相違から、マイクロアレイ上の前記突出スポット部を反射像として検出する（２３）〜（２５）のいずれかに記載の方法。
（２７）前記反射像として検出された突出スポット部からの蛍光を検出することにより、生体分子の相互作用を検出する（２６）に記載の検出方法。
（２８）基板表面に生体分子が固定化されたスポットを１つ以上有する生体分子マイクロアレイにターゲット生体分子を含む溶液を接触させ、前記固定化された生体分子とターゲット生体分子とを相互作用させる方法であって、
前記ターゲット生体分子を含む溶液に、フェニルアラニンを含有させ、かつ、
前記生体分子固定化スポットに向けて溶液中のターゲット生体分子が泳動するように前記溶液に電界を印加して、前記相互作用を促進する、前記方法。
（２９）前記マイクロアレイが、生体分子固定化スポットを表面に設けた電極を基板上に有するものであり、前記基板上の電極と対向する電極を用い、かつ前記ターゲット生体分子を含む溶液が前記２つの電極と接触する状態で、前記電極間に前記電界の印加を行う（２８）に記載の方法。
（３０）基板表面に生体分子が固定化されたスポットを１つ以上有する生体分子マイクロアレイにターゲット生体分子を含む溶液を接触させ、前記固定化された生体分子とターゲット生体分子とを相互作用させる方法であって、
前記ターゲット生体分子を含む溶液は、フェニルアラニン、ヒスチジン、カルノシン、およびアルギニンからなる群から選ばれる少なくとも１つのバッファー物質を含有し、
前記基板は、生体分子固定化スポットを設けた面と同一の面上に、少なくとも１つの対向する一対の電極を、前記一対の電極間に生体分子固定化スポットが位置するように設けたものであり、かつ
前記ターゲット生体分子を含む溶液が上記一対の電極と接触する状態で、上記電極間に電界の印加を行い、前記相互作用を促進する、前記方法。
【発明の効果】
【００１０】
本発明によれば、生体分子マイクロアレイに一定形状の生体分子固定化領域を持つ基板及び生体分子の相互作用、特にハイブリダイゼーションを高速に行い、かつ微量サンプルの相互作用を促進させ、さらに高速・高感度に相互作用を検出し解析する手段を提供することができる。
【発明を実施するための最良の形態】
【００１１】
以下、本発明について更に詳細に説明する。
[基板]
本発明の生体分子マイクロアレイ用基板は、基板表面に、生体分子固定化用スポットを１つ以上有する生体分子マイクロアレイ用基板であって、前記生体分子固定化用スポットが、基板表面から突出し、かつ頂上にスポット用平面を有する（以下、「突出スポット部」という）。更に、本発明の生体分子マイクロアレイ用基板は、少なくとも、前記突出スポット部周辺の基板表面、突出スポット部側面、およびスポット用平面が、導電性物質からなるか（以下、「第一の態様」という）、または、隣り合う突出スポット部は、突出スポット部側面によって隣接しており、かつ、少なくとも、前記突出スポット部側面およびスポット用平面が、導電性物質からなる（以下、「第二の態様」という）ことを特徴とする。
本発明の基板では、生体分子固定化用スポットが、突出スポット部の頂上の平面に設けられている。そのため、本発明の第一の態様の基板では、前記突出スポット部頂上のスポット用平面（生体分子固定化用スポット）は、前記突出スポット部周辺の基板表面より一段高い位置にあり、両者間に高低差が生じる。
【００１２】
一方、本発明において、生体分子の相互作用の検出に用いられる共焦点型検出器は、試料上の焦点面からの反射光や蛍光を、光学系の結像面に置かれたピンホールに通して検出する。図１に、本発明で使用される共焦点型検出器１０の光学系の概略図を示す。図１の実線ａは、入射光を表す。実線ｂは、焦点面からの反射光または蛍光を表し、破線は、非焦点面からの反射光または蛍光を表す。共焦点型検出器１０では、マイクロアレイ１上の焦点面から反射した反射光、および、試料上の焦点面から放出された蛍光は、対物レンズ２を通ってビームスプリッター３へ入射し、ビームスプリッター３によって、検出レンズ４へ垂直に入射するように光路が修正され、検出レンズ４を経て、結像面５へ入射する。共焦点型検出器１０は、試料上での焦点が、結像面でも焦点となるように設計されている。よって、試料上の焦点面からの光は、結像面５で焦点を結び、ピンホール６を通過して、検出部７で検出される。一方、試料上の非焦点面からの光は、結像面５で焦点を結ばないため、大部分がピンホール６を通過せず、検出部７において検出されない。このように、共焦点型検出器によれば、焦点面からの光を、選択的に検出することができる。
【００１３】
本発明の第一の態様の基板では、前記突出スポット部周辺の基板表面と、前記突出スポット部頂上のスポット用平面（生体分子固定化用スポット）との高低差が、生体分子とターゲット生体分子との相互作用の検出において使用する共焦点型検出器の焦点深度以上であれば、共焦点型検出器の焦点を、突出スポット部頂上のスポット用平面の高さに合わせることにより、検出器において、突出部周辺の基板表面からの蛍光や反射光よりも、突出スポット部頂上のスポット用平面からの蛍光や反射光を、より高い強度で検出することができる。従って、本発明の基板の突出スポット部頂上のスポット用平面に生体分子を固定化したマイクロアレイでは、スポット上の情報、例えば、ターゲット生体分子との相互作用の有無を、高感度で検出することができる。
【００１４】
本発明の第二の態様の基板は、隣り合う突出スポット部が、突出スポット部側面によって隣接しており、かつ、少なくとも、前記突出スポット部側面およびスポット用平面が、導電性物質からなることを特徴とする。本発明の第二の態様の基板の一例を、図５に示す。
【００１５】
本発明の第一および第二の態様の基板において、前記突出スポット部頂上のスポット用平面と前記突出スポット部側面とのなす角は、９０度以上であることが好ましい。好ましくは、９０〜１３５度である。図２（ａ）は、本発明の基板の一部の断面図である。ここで、「突出スポット部頂上のスポット用平面と突出スポット部側面とのなす角」とは、図２（ａ）における角度θをいう。角度θは、例えば、突出スポット部を、突出スポット部周辺の基板表面に対して垂直に切断し、その断面から求めることができる。
【００１６】
このように、本発明の基板において、突出スポット部頂上のスポット用平面と突出スポット部側面とのなす角が９０度以上であることにより、即ち、突出スポット部底面の大きさが、突出スポット部頂上のスポット用平面の大きさ以上であることにより、グリッティングを自動で行って、生体分子固定化用スポットの位置および大きさを特定することができるという利点がある。以下に、この点について、詳述する。
【００１７】
図２（ａ）に示すように、突出スポット部頂上のスポット用平面と突出スポット部側面とのなす角が９０度以上である場合、共焦点型の検出器を使用して反射光を検出する際に、突出スポット部頂上のスポット用平面に対して垂直な方向から照射した光（図２（ａ）に矢印で表される光）に対する突出スポット部側面からの反射光は、入射光と同一方向には反射しない。一方、突出スポット部頂上のスポット用平面からの反射光は、入射光と同一方向に反射する。このため、共焦点型検出器では、突出スポット部頂上のスポット用平面からの反射光のみが検出され、側面からの反射光は検出されない。こうして得られた反射像には、突出スポット部頂上のスポット用平面に相当する像が、反射像として得られ、突出スポット部側面に相当する部分は、反射光がほとんど検出されないので黒色の縁取りとして表れる。この反射像では、黒い縁取りの内部が生体分子スポットに相当するため、この反射像により、スポットの大きさおよび位置を特定することができる。本発明では、このような原理により、自動グリッティングを行うことが可能である。
【００１８】
また、本発明の第一の態様の基板において、突出スポット部の高さが相互作用の検出に使用する共焦点型検出器の焦点深度以上である場合は、共焦点型検出器の焦点を、突出スポット部頂上のスポット用平面の高さに合わせれば、突出スポット部周辺の基板表面からの反射光は、焦点が合わないため、突出スポット部頂上のスポット用平面からの反射光よりもはるかに弱い強度でしか、検出されない。本発明では、この高低差を利用して自動グリッティングを行うことも可能である。但し、前記突出スポット部の高さが相互作用の検出に使用する共焦点型検出器の焦点深度より小さい場合であっても、前述のように、反射像において、突出スポット部側面に相当する部分が黒色の縁取りとして表れれば、スポットの大きさおよび位置を特定することが可能である。
【００１９】
また、本発明の第一の態様の基板では、前記突出スポット部頂上のスポット用平面と突出スポット部側面とのなす角が９０度未満であっても、突出スポット部の高さが相互作用の検出に使用する共焦点型検出器の焦点深度以上である場合は、スポット用平面と、突出スポット部周辺の基板表面との高低差を利用して、反射像によって、スポット用平面の位置および大きさを特定し、自動でグリッティングを行うことができる。前記突出スポット部頂上のスポット用平面と突出スポット部側面とのなす角が９０度である場合、前記突出スポット部の形状は、例えば、円柱状または角柱状であることができる。
【００２０】
さらに、本発明の第一の態様の基板は、前記突出スポット部頂上のスポット用平面と前記突出スポット部側面とのなす角が、９０度以上であり、かつ、前記突出スポット周辺の基板表面が、略Ｖ字型底面を形成する基板であることもできる。このような基板では、共焦点型検出器で検出されるスポット用平面からの反射光強度が、基板上のスポット用平面以外の部分からの反射光強度より強くなるため、この反射光強度の違いにより、スポット用平面の位置および大きさを特定することができる。図４は、「略Ｖ字型底面」を有する基板の一部の拡大図である。本発明において、「略Ｖ字型底面」とは、例えば、隣り合う突出スポット部間の突出スポット部周辺の基板表面が平面ではなく、図４に示すように、略Ｖ字を形成していることをいう。
【００２１】
更に、本発明の第一の態様の基板は、少なくとも、前記突出スポット部周辺の基板表面、突出スポット部側面、およびスポット用平面が、導電性物質からなることを特徴とする。製造の容易さや製造コストを考慮すれば、本発明の第一の態様の基板は、基板上の、前記突出スポット周辺以外の基板表面も、導電性物質からなるものであることが好ましい。また、本発明の第二の態様の基板は、少なくともと突出スポット部側面および突出スポット部平面が、導電性物質からなることを特徴とする。
【００２２】
本発明では、前記のように、第一の態様の基板においては、少なくとも、突出スポット部周辺の基板表面、突出スポット部側面、およびスポット用平面が、第二の態様の基板においては、少なくとも、突出スポット部側面およびスポット用平面が、導電性物質からなることにより、後述するように、前記基板に対向する電極を設け、電界を印加することによって、スポット用平面に固定化された生体分子とターゲット生体分子との相互作用を促進することができる。例えば、ターゲット生体分子の濃度が低い場合でも、良好な相互作用結果を得ることができ、また、濃度が同一の場合には、より短時間で所定の相互作用結果を得ることができる。
【００２３】
また、本発明では、前記導電性物質が、光を反射する性質を有するものであれば、反射光によって、生体分子固定化スポットの大きさおよび位置を特定し、自動でグリッティングを行うことができる。この点については後述する。
【００２４】
本発明において、前記突出スポット部の高さは、相互作用の検出において使用する共焦点型検出器の焦点深度以上の高さになるように、適宜設定することができ、通常の共焦点型検出器の焦点深度を考慮すると、例えば、１０〜５００μｍであることができる。但し、前述のように、基板上の突出スポット部頂上のスポット用平面とそれ以外の部分との形状の差による反射光強度の相違を検出することによって自動グリッティングを行う場合は、前記突出スポット部の高さは、相互作用の検出に使用する共焦点型検出器の焦点深度より小さくても、自動グリッティングが可能である。この点については、後述する。
また、前記突出スポット部の高さを決定する際は、生体分子のスポット形成（スタンピング）に使用するニードルの直径や、プローブ核酸等の生体分子溶液のスポット量も考慮する必要がある。例えば、直径１００μｍの円形の突出スポット部に対して直径１３０μｍ程度のニードルを用いて生体分子をスポットする場合、突出スポット部の高さが１５μｍ以上であれば、表面張力のため、突出スポット部頂上のスポット用平面から生体分子溶液が流れ出すことなく、固定化用スポットのみに、生体分子が固定化されるため、好ましい。
【００２５】
本発明の基板において、突出スポット部頂上のスポット用平面の形状は、スポットされた生体分子を保持し得る形状であれば、いずれの形状であることもでき、例えば、円形や正方形であることができる。前記スポット用平面の大きさは、スポットに用いるニードルやスポットする生体分子溶液の量に応じて適宜設定することができ、例えば、１０〜５００μｍとすることができる。ここで、「スポット用平面の大きさ」とは、例えば、スポット用平面の形状が円形の場合は、その直径をいい、スポット用平面の形状が正方形の場合は、その一辺の長さをいう。
突出スポット部底面の形状は、特に限定されないが、製造の容易さ等を考慮すれば、スポット用平面と同様の形状であることが好ましい。図２（ｂ）は、本発明の基板上の突出スポット部の概略図である。ここで、「突出スポット部底面の形状」とは、図２（ｂ）の斜線部をいう。
【００２６】
前記突出スポット部頂上のスポット用平面は、粗面化されていてもよい。例えば、前記突出スポット部頂上のスポット用平面は、深さ方向と略水平方向に、相互作用の検出において使用する共焦点型検出器の焦点深度以内の深さの凹凸を有していてもよい。図３に、粗面化されたスポット用平面の一例（部分拡大図）を示す。粗面化されたスポット用平面の一例としては、図３に示すような、数μｍ角の格子状の形状を設けたスポット用平面を挙げることができる。このように、スポット用平面が粗面化されていることにより、後述するように、電気泳動または誘電泳動によるターゲット生体分子の濃縮効果を得る場合に、凹凸の角（エッジ）部分に強電界が生じ、相互作用が更に促進されるという利点がある。
【００２７】
スポット用平面の粗面化方法は特に限定されず、例えば、本発明の基板がプラスチック成型基板の場合、フォトリソグラフィーによりエッチングした母材を、電鋳法により反転写した微細加工金型を用いることにより、スポット用平面が粗面化された基板を製作することができる。
【００２８】
本発明の基板は、基板全体が導電性物質からなるか、また、基板表面に導電性物質被覆層を有するものであることができる。
前述のように、反射像によって自動グリッティングを行う場合には、前記導電性物質は、光を反射する性質を有する物質から選択する。
また、金属とチオール基との結合を利用して、プローブ核酸の固定化を行う場合は、前記導電性物質は、チオール基と結合性を有する金属から選択する。
【００２９】
前記導電性物質としては、例えば、金属（例えば、金、ニッケル、白金、銀、チタン、アルミニウム、ステンレス、銅）、導電性酸化物（例えば、Ｉｎ2Ｏ5／ＳｎＯ2）および導電性プラスチック（例えば、ポリアセチレン）を挙げることができる。
また、導電性物質被覆層を有する基板としては、ガラス、シリコン、プラスチック、具体的には、ポリプロピレン等の基板の表面に、前記導電性物質を被覆したものを挙げることができる。基板上の導電性物質被覆層の厚さは、特に限定されるものではなく、例えば、０．１〜１０μｍとすることができる。
【００３０】
本発明において、前記基板が、金属からなるものである場合は、所望の形状の突出スポット部に対応した凹部を有する鋳型に、熔融した金属を注入して鋳造することにより、本発明の基板を得ることができる。また、プレス成形によって、金属製基板を得ることもできる。本発明の基板は、金属からなる基板の上に、導電性物質を被覆したものであることもできる。
【００３１】
本発明の基板が、シリコンまたはプラスチック製の基板上に導電性物質の被覆を有するものである場合は、例えば、所望の形状の突出スポット部に対応した凹部を有する成形型を用いてシリコンまたはプラスチックを成形し、そのシリコンまたはプラスチック製の基板上に、導電性物質を、蒸着、メッキ等によって被覆することにより、本発明の基板を得ることができる。
【００３２】
また、本発明の基板は、平板状の基板上に導電性被覆層を被覆した後に、エッチング等により突出スポット部を形成することによって製造することもできる。
【００３３】
次に、本発明の基板が、ガラス基板上に金被覆層を有するものである場合の、基板の製造方法の一例を説明する。但し、本発明はこの態様に限定されるものではない。
まず、スライドガラスの表面に、真空蒸着装置により、クロム、チタン、ニッケル等を蒸着し、次いで、その上に金を蒸着する。この金蒸着スライドガラス上に、ポジ型レジストをスピンコーターで塗布し、例えば６０℃でオーブンにより１時間ベーキングする。
次いで、紫外線露光装置により、フォトマスクを通してスライドガラスに紫外線を照射する。このとき、フォトマスクとしては、所望の形状の突出スポット部に対応したパターンを有するものを使用する。紫外線照射後、現像液によって現像を行えば、金蒸着スライドガラス表面に、レジストパターンを形成することができる。
【００３４】
次いで、レジストパターン周辺の金表面を、金エッチャントによってエッチングする。金エッチング後の基板を超純水によって洗浄した後、金の下に蒸着されたクロム、チタン、ニッケル等を除去するために、エッチャントにより更にエッチングを行い、超純水によって洗浄する。
アセトン等によってレジストを溶解した後、超純水によって洗浄し、更に残っているレジストを完全に除去するために、ピラニア溶液（硫酸：過酸化水素＝１：１）に例えば１０分間漬けて、超純水で洗浄する。これにより、フォトマスクに対応した金パターンを有するガラス基板を得ることができる。
【００３５】
次に、上記基板を、フッ化水素酸に浸漬し、露出しているガラス表面をエッチングする。このときに使用するフッ化水素酸の濃度および浸漬時間は、所望の突出スポット部の高さに応じて適宜設定することができる。
【００３６】
次に、前述と同様に、金およびクロム等のエッチングを行った後、ピラニア溶液および超純水によって基板を洗浄し、所望の形状の突出スポット部を有するガラス基板を得ることができる。
このガラス基板に、前述と同様に、クロム等を蒸着し、次いで、金を蒸着することによって、突出部を有し、かつ、金被覆を有する基板を得ることができる。
【００３７】
本発明において、基板全体の大きさ、基板上の突出スポット部の数および集積度は特に限定されず、適宜設定することができる。例えば、本発明の基板は１０〜２０，０００ｍｍ2の大きさの基板上に、突出スポット部を、１０〜５０，０００個程度有するものであることができる。
【００３８】
[生体分子マイクロアレイ]
本発明の核酸マイクロアレイは、本発明の基板および生体分子を含み、生体分子は、前記基板上の少なくともスポット用平面に固定化されていることを特徴とする生体分子マイクロアレイである。前記生体分子は、ＤＮＡ、ＲＮＡ、ＰＮＡ、蛋白、ポリペプチド、糖化合物、脂質、天然低分子、および合成低分子からなる群から選ばれる少なくとも一種であることができ、目的に応じて選択することができる。
ここで、糖化合物としては、例えば、単糖、オリゴ糖、多糖、糖鎖複合体、糖蛋白質、糖脂質、およびそれら誘導体などを挙げることができる。
脂質としては、例えば、脂肪酸、リン脂質、糖脂質、グリセリドなどを挙げることができる。
天然低分子としては、例えば、ホルモン分子や抗生物質、毒物、ビタミン類、生理活性物質、二次代謝産物などを挙げることができる。
合成低分子としては、例えば、天然低分子の合成物、およびそれら誘導体などを挙げることができる。
【００３９】
本発明では、生体高分子が核酸であり、かつ、前記導電性物質が金属である場合、プローブ核酸を生体分子固定化用スポット（突出スポット部）に固定化するために、突出スポット部頂上のスポット用平面の金属と反応性を有する基を一端に有する核酸を含む溶液を、スポッティング溶液として用いることができる。そのような基としては、チオール基を挙げることができる。チオール基を有する核酸鎖の金属表面への固定化は、公知の方法によって行うことができ、例えば、J.Am.Chem.Soc.1998,120,9787-9792を参照することができる。
【００４０】
金属表面へのＤＮＡの固定化方法としては、金属（表面酸化被膜を活性化させ水酸基を提示させたもの）に対して以下の処理を行う方法を用いることもできる。
（１）アミノシラン処理した基板表面に、ＵＶ照射することにより、ＤＮＡを固定化する。
（２）アミノシラン、NHS（N-ヒドロキシスクシンイミド）-ビオチン、アビジンによって順次処理した基板表面に、ビオチン化ＤＮＡを固定化する。
（３）アミノシラン、マレイミド-ビオチン、アビジンによって順次処理した基板表面に、ビオチン化DNAを固定化する。
（４）アミノシラン、次いでグルタルアルデヒドによって処理した基板表面に、アミノ化DNAを固定化する。
（５）アミノシラン、次いでカルボジイミドによって処理した基板表面に、アミノ化DNAを固定化する。
（６）アミノシラン処理した基板表面に、カルボキシ化DNAを固定化する。
（７）アミノシラン処理した基板表面に、リン酸化DNAを固定化する。
（８）アミノシラン、次いでNHS−マレイミド化合物によって処理した基板表面に、チオール化DNAを固定化する。
（９）エポキシシラン処理した基板表面に、アミノ化DNAを固定化する。
（１０）チオールシラン処理した基板表面に、チオール化DNAを固定化する。
【００４１】
また、ＤＮＡ以外の生体分子についても、上記のような、ＵＶ照射による固定化や、チオール基、アミノ基、カルボキシル基、リン酸基などの官能基を介しての固定化が可能である。
【００４２】
前記スポット用平面への生体分子溶液のスポッティングは、常法により行うことができ、例えば、先端に生体分子溶液を保持したニードルを、突出スポット部頂上のスポット用平面に接触させることにより行うことができる。ここで使用されるスポッティング用装置としては、例えば、特開２００１−４６０６２号公報および特開２００３−５７２３６号公報に記載の装置を挙げることができる。スポット量は、スポット用平面から生体分子溶液が流れ出さないように、スポット用平面の大きさや、突出スポット部の高さに応じて、適宜設定することができる。
【００４３】
[相互作用促進用装置、相互作用促進方法]
本発明は更に、
基板上に１つ以上の生体分子固定化スポットを有する生体分子マイクロアレイ、
前記マイクロアレイの生体分子固定化スポットを有する面に対向するように設けられた電極、および
前記マイクロアレイと前記電極との間に電界を印加するための電源
を有する、生体分子の相互作用促進用装置であって、
前記生体分子マイクロアレイを構成する基板は、基板表面から突出し、かつ頂上にスポット用平面を有する生体分子固定化用スポット（突出スポット部）を有し、
少なくとも前記突出スポット部は導電性物質表面を有し、
前記スポット用平面の導電性物質表面に生体分子が固定化され、前記生体分子固定化スポットが形成されており、かつ
前記基板は、前記基板上の突出スポット部以外の表面に、前記突出スポット部の導電性物質表面と通電可能な端子を有することを特徴とする、生体分子の相互作用促進用装置
に関する。このような生体分子の相互作用としては、例えば、プローブ核酸とターゲット核酸とのハイブリダイゼーション、抗原−抗体相互作用、レセプター−リガンド相互作用、タンパク−タンパク相互作用、ＤＮＡ−タンパク相互作用を挙げることができる。
【００４４】
前記基板上の突出スポット部以外の表面は、導電性物質被覆層を有し、前記端子は、前記導電性物質被覆層に含まれるか、または、前記導電性物質被覆層と通電可能であり、かつこの導電性物質被覆層と突出スポット部の導電性物質表面とは、一体の導電性物質被覆層として設けられていることが好ましい。前記装置における生体分子マイクロアレイは、前記本発明の生体分子マイクロアレイであることができる。
【００４５】
更に、本発明は、前記の生体分子の相互作用促進用装置を用いる、生体分子の相互作用促進方法であって、
前記マイクロアレイと電極との間に、ターゲット生体分子を含む溶液を配置し、かつ、
前記マイクロアレイと電極との間に電界を印加することを特徴とする、生体分子の相互作用促進方法
に関する。
【００４６】
前記装置における生体分子マイクロアレイは、突出スポット部を有するため、マイクロアレイ上の突出部頂上の生体分子が固定化された平面と、前記マイクロアレイの生体分子スポットを有する面に対向するように設けられた電極（対向電極）の、前記平面と対向する面との間で電界密度が高まり、溶液中のターゲット生体分子が、電気泳動（直流電源を使用した場合）または誘電泳動（交流電源を使用した場合）によって突出部近傍に濃縮される。
これにより、突出スポット部に固定化された生体分子と、ターゲット生体分子との相互作用を促進させることができる。特に、前記生体分子マイクロアレイにおいて、生体分子が固定化されたスポット平面が粗面化されている場合、例えば、スポット平面に、共焦点型検出器の焦点深度以内で深さ方向と略水平方向に凹凸を有する場合は、凹凸の角（エッジ）部分に強電界が生じ、相互作用が更に促進されるという利点がある。
【００４７】
前記対向電極は、前記生体分子マイクロアレイと対向電極との間に電界を印加することができるものであれば、特に制限はない。図６（ａ）に、本発明の生体分子の相互作用促進用装置の概略図を、図６（ｂ）に、本発明の生体分子の相互作用促進用装置の断面図を示す。本発明において、対向電極は、導電性物質、例えば、金属、導電性酸化物、導電性プラスチック、等からなる基板であることができ、また、マイクロアレイと対向する面に、導電性物質被覆層を有する基板からなるものであることもできる。本発明では、特に、前記対向電極が、例えば、ＩＴＯ（酸化インジウムスズ）、酸化スズなどの透明電極であれば、生体分子の相互作用中に、同時に、透明電極の上から、共焦点型検出器で反射光および蛍光の検出を行うことができ、相互作用をリアルタイムで検出することができる。また、前記生体分子マイクロアレイを構成する基板が、光透過性のガラスやプラスチック上に、透明の導電性被覆層を設けたものである場合や、基板全体が透明の導電性物質からなる場合も、同様に、相互作用をリアルタイムで検出することができる。
【００４８】
また、前記相互作用促進用装置において、生体分子マイクロアレイと対向電極との間に電界を印加するための電源は、直流電源でも、交流電源でもよく、より好ましくは、交流電源が用いられる。直流電源を使用する場合は、高電圧をかけると、ターゲット生体分子溶液が高電圧により電気分解し、気泡等が発生しやすいという懸念があるため、低電圧を使用することが好ましい。ターゲット生体分子としてＤＮＡを使用する場合には、ＤＮＡがマイナスに荷電されているため、直流電源を使用する場合は、突出スポット部側が、プラスになるように電界を印加することが好ましい。交流電源を使用する場合は、低周波交流では、ターゲット生体分子溶液の電気分解により気泡等が発生しやすいという懸念があるため、高周波交流を使用することが好ましい。
【００４９】
前記相互作用促進用装置において、生体分子マイクロアレイと対向電極との間には、生体分子マイクロアレイの突出スポット部を有する領域が覆われないように、非導電性材料からなるスペーサーを挟むことができる。前記非導電性材料としては、例えば、ゴム、ガラス、プラスチックを挙げることができる。本発明の装置では、このスペーサーの厚さにより、生体分子マイクロアレイ上のスポット用平面と対向電極との距離を設定することができ、また、このスペーサーによって囲まれた空間に、ターゲット生体分子を含む溶液を充填することができる。前記スポット用平面と対向電極との距離は、電気泳動または誘電泳動によるターゲット生体分子濃縮の効果が得られる範囲で適宜設定することができ、例えば、１〜５００μｍとすることができる。
【００５０】
前記相互作用促進用装置は、ヒーター等の温度制御手段を更に有することが好ましい。温度制御手段によって、生体分子周辺の環境を、相互作用に適した温度に制御することにより、相互作用を更に促進することができる。
【００５１】
前記装置において、生体分子マイクロアレイと対向電極との間に印加される電界は、前記の生体分子マイクロアレイと対向電極との間の距離を考慮しつつ、電気泳動または誘電泳動によるターゲット生体分子の濃縮の効果が得られる範囲で適宜設定することができ、例えば、０．００１〜１０ＭＶ／ｍとすることができる。また、後述するように、ターゲット生体分子溶液に用いるバッファーの種類に応じて、高い相互作用促進効果が得られるように、印加電界を適宜設定することが好ましい。
【００５２】
本発明では、共焦点検出器によって蛍光を検出することにより生体分子間の相互作用を検出するために、前記の相互作用促進方法に用いられるターゲット生体分子は、蛍光標識されているものであることが好ましい。ターゲット生体分子の蛍光標識は、公知の方法で行うことができる。また、本発明では、マイクロアレイに固定化される生体分子が、蛍光標識されていてもよい。マイクロアレイに固定される生体分子の蛍光標識も、公知の方法で行うことができる。
【００５３】
本発明において、ターゲット生体分子溶液はバッファーを含むことができる。ターゲット生体分子溶液に用いるバッファーとして、好ましいものとしては、約６〜８付近の解離定数(pKa)を有するものが挙げられる。プローブ核酸とターゲット核酸とのハイブリダイゼーションを効率よく起こさせるためには、ｐＨが中性域であることが好ましいため、中性域で緩衝能を有するバッファーを使用することが好ましい。具体的には、以下のバッファー物質を含むバッファーが挙げられる；フェニルアラニン、カルノシン、アルギニン、ヒスチジン、MES（2-(N-モルホリン)エタンスルホン酸）、マレイン酸、3,3-ジメチルグルタル酸、炭酸、4-ヒドロキシメチルイミダゾール、クエン酸、ジメチルアミノエチルアミン、プロリン酸、グリセロール-2-リン酸、PIPES (ピペラジン-N,N'-ビス(2-エタンスルホン酸))、エチレンジアミン、イミダゾール、MOPS (3-(N-モルホリン)プロパンスルホン酸)、リン酸、TES（N-トリス(ヒドロキシメチル)メチル-2-アミノエタンスルホン酸）、4-メチルイミダゾール、HEPES (N-2-ヒドロキシエチルピペラジン-N'-2-エタンスルホン酸)、N-エチルモルホリン、トリエタノールアミン、トリス(トリス(ヒドロキシメチル)アミノメタン)。
【００５４】
ターゲット生体分子溶液に用いるバッファーの伝導率が過度に高いと、バッファー中のイオンの移動により、ターゲット生体分子の濃縮効果が低減するおそれがある。そこで、本発明では、伝導率が１０〜５００μΩ-1／ｍのバッファーを用いることが好ましく、伝導率が１０〜１００μΩ-1／ｍのバッファーを用いることが更に好ましい。バッファーの伝導率が上記範囲内であれば、生体分子の相互作用を良好に促進することができる。また、バッファーの濃度は、上記範囲内の伝導度が得られるように、適宜調整することが好ましい。
【００５５】
以上の観点から、好ましいバッファーの具体例としては、バッファー物質として、フェニルアラニン、ヒスチジン、カルノシン、アルギニンを含むバッファーを挙げることができる。後述する実施例５に示すように、プローブ核酸とターゲット核酸とのハイブリダイゼーションを、フェニルアラニンを含有するターゲット生体分子溶液を用いて行うと、特に高いハイブリダイゼーションシグナル強度を得ることができ、しかも、電界印加により、電界を印加しない場合と比べて２倍以上のハイブリダイゼーションシグナル強度を得ることができる。このように、フェニルアラニンは、電界を印加することにより生体分子の相互作用を促進する本発明において、特に効果を発揮するバッファー物質である。
【００５６】
なお、マイクロアレイと電極との間に印加する電界は、高い生体分子相互作用促進効果が得られるように、使用するバッファーに応じて適宜設定することが好ましい。例えば、フェニルアラニンをバッファーとして用いる場合には、０．５〜１．０ＭＶ／ｍ、ヒスチジンの場合は、０．５〜１．０ＭＶ／ｍ、カルノシンの場合は、０．２５〜０．７５ＭＶ／ｍ、アルギニンの場合は、０．１〜０．３ＭＶ／ｍ、の範囲の電界を印加することが好ましい。
【００５７】
[相互作用の検出方法]
本発明は更に、ターゲット生体分子と相互作用し得る環境に置かれているか、または、ターゲット生体分子と相互作用し得る環境に置かれていた、本発明のマイクロアレイの各生体分子固定化スポット上の生体分子と前記ターゲット生体分子との間の相互作用を、共焦点型検出器によって検出することを特徴とする生体分子の相互作用の検出方法にも関する。共焦点型検出器による反射光および蛍光の検出原理については、前述の通りである。本発明の相互作用の検出方法では、共焦点型検出器を用いて、前述の原理で反射像によってスポットの大きさおよび位置を特定することで、自動グリッティングを行うことができる。即ち、本発明によれば、マイクロアレイ表面の生体分子固定化スポットとそれ以外の部分の高さおよび／または形状の差による反射光強度の相違から、マイクロアレイ上の生体分子固定化スポットを、反射像として検出することができる。更に、共焦点型検出器によって、マイクロアレイからの蛍光を検出するときに、マイクロアレイ上の突出スポット部頂上のスポット平面の高さに、共焦点型検出器の焦点を合わせれば、前記スポット平面上の蛍光標識された生体分子（スポットに固定化された生体分子および／またはターゲット生体分子）からの蛍光を選択的に検出して、スポットに対応する蛍光像を得ることができる。本発明では、こうして得られた反射像と蛍光像を重ね合わせることによって、マイクロアレイ上の相互作用が起こっているスポットを特定することができ、その蛍光強度により、相互作用の程度を測定することができる。なお、本発明では、インターカレーターを用いて、インターカレーターからの蛍光を測定することによって相互作用を検出することもできる。
【００５８】
特に、本発明では、反射光と蛍光とを同時に検出することができる共焦点型スキャナーを用いることが好ましい。そのような装置の一例を、図７に示す。図７に示す装置では、励起光源（レーザー）２１から発生した励起光はミラー２２、ダイクロックミラーミラー２３、ミラー２６、対物レンズ２４、を介して試料（マイクロアレイ）２５に照射される。反射光は対物レンズ２４、ミラー２６、ダイクロックミラー２３（反射光の一部を透過（数パーセント以下））、ダイクロックミラー２７、減光フィルター２８、検出レンズ２９、ピンホール３０を介して反射光検出部３１に導かれる。蛍光は2つのダイクロックミラー２３、２７を透過し、ミラー３２にて反射しカットフィルター３３、検出レンズ３４、ピンホール３５を介して蛍光検出部３６に導かれる。このような装置によれば、マイクロアレイ表面の生体分子固定化スポットとそれ以外の部分の高さおよび／または形状の差による反射光強度の相違から、マイクロアレイ上の生体分子固定化スポットを反射像として検出し、同時に、そのスポットからの蛍光を検出することによって、生体分子の相互作用を検出することができる。
【００５９】
更に、本発明は、基板表面に生体分子が固定化されたスポットを１つ以上有する生体分子マイクロアレイにターゲット生体分子を含む溶液を接触させ、前記固定化された生体分子とターゲット生体分子とを相互作用させる方法であって、
前記ターゲット生体分子を含む溶液に、フェニルアラニンを含有させ、かつ、
前記生体分子固定化スポットに向けて溶液中のターゲット生体分子が泳動するように前記溶液に電界を印加して、前記相互作用を促進する、前記方法、にも関する。
【００６０】
前記方法において使用される生体分子の種類、基板表面への生体分子の固定化方法、生体分子の相互作用の種類については、前述の通りである。生体分子マイクロアレイにターゲット生体分子を含む溶液を接触させる方法としては、ターゲット生体分子を含む溶液に、生体分子マイクロアレイを浸漬する方法や、ターゲット生体分子を含む溶液を、マイクロアレイの生体分子固定化スポットを含む面上に滴下する方法等が挙げられる。また、後述するように、前記マイクロアレイと対向する電極を設ける場合には、マイクロアレイと電極との間に溶液を配置することにより、生体分子マイクロアレイにターゲット生体分子を含む溶液を接触させることができる。
【００６１】
前記方法では、基板上の生体分子固定化スポットに向けて、ターゲット生体分子を含む溶液中のターゲット生体分子が泳動するように、前記溶液に電界を印加する。この場合、直流電源を用いて電界を印加する場合には、ターゲット生体分子は、基板上の生体分子固定化スポットに向けて電気泳動し、交流電源を用いて電界を印加する場合には、ターゲット生体分子は、基板上の生体分子固定化スポットに向けて誘電泳動する。前記本発明の生体分子を相互作用させる方法では、このように、電界を印加して、基板上の生体分子スポットに向けてターゲット生体分子を泳動させることにより、生体分子スポット近傍のターゲット生体分子濃度を高め、生体分子相互作用を促進することができる。更に、本発明では、伝導率が低く、かつ、電界印加による生体分子相互作用促進効果が顕著に高いフェニルアラニンを、ターゲット生体分子溶液に含有させることにより、生体分子相互作用を顕著に促進することができる。
【００６２】
前記本発明の生体分子を相互作用させる方法において使用されるフェニルアラニンの伝導率は、前述のように、１０〜５００μΩ-1／ｍであることが好ましく、１０〜１００μΩ-1／ｍであることがより好ましい。フェニルアラニンの濃度は、前記範囲の伝導率が得られるように、適宜調整することが好ましい。
【００６３】
前記生体分子を相互作用させる方法において用いられる生体分子マイクロアレイは、生体分子固定化スポットを表面に設けた電極を基板上に有する生体分子マイクロアレイであることができる。そのようなマイクロアレイとしては、前記本発明の生体分子マイクロアレイを用いることができる。
【００６４】
生体分子固定化スポットを表面に設けた電極を基板上に有する生体分子マイクロアレイを用いる場合、前記基板上の電極と対向する電極を用い、かつ、電界印加による相互作用促進効果が顕著に高いフェニルアラニンを含有するターゲット生体分子溶液を含む溶液が前記２つの電極と接触する状態で、前記電極間に電界を印加して生体分子固定化スポット近傍のターゲット生体分子濃度を高めることにより、基板表面に固定化された生体分子とターゲット生体分子との相互作用を促進することができる。前記方法では、生体分子固定化スポットを表面に設けた電極を基板上に有するマイクロアレイと前記基板上の電極と対向する電極とを含み、かつ、マイクロアレイと電極との間にターゲット生体を含む溶液を配置して、生体分子マイクロアレイにターゲット生体分子を含む溶液を接触させることができる、前記本発明の生体分子相互作用促進用装置を用いることもできる。また、電極間に印加する電界については、先に、本発明の生体分子相互作用促進用装置の説明で記載したとおりである。
【００６５】
更に、本発明は、基板表面に生体分子が固定化されたスポットを１つ以上有する生体分子マイクロアレイにターゲット生体分子を含む溶液を接触させ、前記固定化された生体分子とターゲット生体分子とを相互作用させる方法であって、
前記ターゲット生体分子を含む溶液は、フェニルアラニン、ヒスチジン、カルノシン、およびアルギニンからなる群から選ばれる少なくとも１つのバッファー物質を含有し、
前記基板は、生体分子固定化スポットを設けた面と同一の面上に、少なくとも１つの対向する一対の電極を、前記一対の電極間に生体分子固定化スポットが位置するように設けたものであり、かつ
前記ターゲット生体分子を含む溶液が上記一対の電極と接触する状態で、上記電極間に電界の印加を行い、前記相互作用を促進する、前記方法、にも関する。
【００６６】
前記方法において使用される生体分子の種類、基板表面への生体分子の固定化方法、生体分子の相互作用の種類については、前述の通りである。生体分子マイクロアレイにターゲット生体分子を含む溶液を接触させる方法としては、ターゲット生体分子を含む溶液に、生体分子マイクロアレイを浸漬する方法や、ターゲット生体分子を含む溶液を、マイクロアレイの生体分子固定化スポットを含む面上に滴下する方法等が挙げられる。
【００６７】
前記方法で用いられる基板は、生体分子固定化スポットを設けた面と同一の面上に、少なくとも１つの対向する一対の電極を、前記一対の電極間に生体分子固定化スポットが位置するように設けたものである。そのような基板の一例を、図１３に示す。図１３に示す基板は、例えば、光リソグラフィー技術等によって、導電性物質からなる層を基板上の一部に作製して一対の対向電極としたものである。前記方法では、このような基板上に、生体分子を固定化して作製した生体分子マイクロアレイを用いることができる。前記方法では、このようなマイクロアレイを用いて、電極間に生体分子固定化スポットを有する生体分子マイクロアレイとターゲット生体分子を含む溶液とを接触させ、かつ、前記電極とターゲット生体分子溶液とを接触させた状態で、電極間に電界を印加する。これにより、ターゲット生体分子を生体分子固定化スポットに向けて誘電泳動（交流電源を用いた場合）または電気泳動（直流電源を用いた場合）させて生体分子固定化スポット近傍のターゲット生体分子濃度を高めることができ、生体分子の相互作用を促進することができる。特に、本発明では、電界印加による生体分子相互作用促進効果が顕著に高いフェニルアラニン、ヒスチジン、カルノシン、およびアルギニンからなる群から選ばれる少なくとも１つのバッファー物質、特にフェニルアラニンを、ターゲット生体分子溶液に含有させることにより、生体分子の相互作用を顕著に促進することができる。電極間に印加する電界は、使用するバッファー物質の種類に応じて、電気泳動または誘電泳動によるターゲット生体分子の濃縮の効果が得られる範囲で適宜設定することができ、例えば、０．５〜１．０ＭＶ／ｍとすることができる。また、使用する電源は、先に記載した理由から、高周波交流電源を用いることが好ましい。
【００６８】
前記本発明の生体分子を相互作用させる方法において使用されるフェニルアラニン、ヒスチジン、カルノシン、およびアルギニンからなる群から選ばれる少なくとも１つのバッファー物質の伝導率は、前述のように、１０〜５００μΩ-1／ｍであることが好ましく、１０〜１００μΩ-1／ｍであることがより好ましい。バッファー物質の濃度は、前記範囲の伝導率が得られるように、適宜調整することが好ましい。
【実施例】
【００６９】
以下、本発明を実施例によって更に説明する。
実施例１
核酸マイクロアレイ用基板の作製
１）表面研磨したスライドガラスの表面に、真空蒸着装置により、クロムを２５０Å厚で蒸着した後、金をその上に２５００Å厚で蒸着した。
２）金蒸着スライドガラス上にポジ型レジストＳ１８１３（シプレー社）をスピンコーターで塗布し、６０℃オーブンにより１時間ベーキングした。
３）紫外線露光装置により、フォトマスクを通して上記スライドガラスに紫外光を照射した。フォトマスクは、直径２００μｍの円と１辺２００μｍの正方形のパターンがそれぞれ１１×１１個形成されているものを使用した。照射後、現像液ＣＤ−２６（シプレー社）により現像を行い、直径約２００μｍの円と正方形のレジストパターンを金表面上に形成した。
４）円と正方形のレジストパターンの周辺分の露出している金表面を金エッチャント（ヨウ化カリウム：ヨウ素：水＝６：１：８０）により金をエッチングした。超純水で洗浄した後、金のエッチングにより露出したクロムをクロムエッチャント（１０％硝酸二セリウムアンモニウム（ＩＶ））によりエッチングを行い、超純水で洗浄した。
５）アセトンにつけ、レジストを溶解後、超純水で洗浄し、さらに残っているレジストを完全に除去するために、ピラニア溶液（硫酸：過酸化水素＝１：１）に１０分間つけ、超純水で洗浄した。この段階で、ファトマスク通りに円と正方形の金パターンを有するガラス基板が作製された。
６）次に露出しているガラス表面をエッチングするために、上記の金パターンガラス基板を４．６％  フッ化水素酸に５０分間浸漬した。これにより、ガラス表面は、約５０μｍの深さ分だけ腐食され、またアンダーカットにより金パターンの下も横方向から侵食され、直径約２００μｍの円と１辺約２００μｍの正方形のパターンは、約９０μｍ（直径又は１辺）のパターンとなった。
７）４）と同様に、金とクロムのエッチングを行った後、ピラニア溶液、超純水で基板を洗浄した。
８）１）と同様に、クロムと金を蒸着し、金が表面に蒸着された核酸マイクロアレイ用基板を作製した（図８）。
【００７０】
図８ａ）は、実施例１で作製された基板をデジタルカメラにて撮影したものである。凹凸が形成されていることが像からわかる。図８ｂ）は、正方形のスポットについて、共焦点顕微鏡により光学切片を撮像し、３次元構築したものである。基板上に、頂上にスポット用平面を有する突出スポット部が形成されていることがわかる。正方形のスポットの高さは、約５０μｍの高さを有していた。実施例１で得られた基板上のスポット用平面の大きさは、９０μｍであり、突出スポット部周辺の基板表面と、突出スポット部側面とのなす角は、１１０度であった。
【００７１】
実施例２
核酸マイクロアレイ用基板へのＤＮＡスタンピング
５’−蛍光色素Ｃｙ３を標識したＤＮＡ溶液（tatgacaatg aatacggcta cagcaacagg gtggtggacc tcatg（配列番号１）（遺伝子名GAPDH）溶液組成：５０μＭ  ｉｎ  １×マイクロスポッティング溶液（テレケム社））を、理研で開発したＤＮＡアレイヤーにより、実施例１で作製した核酸マイクロアレイ用基板の突出スポット部頂上のスポット用平面へスタンプした。スタンプ針の先端は、直径１３０μｍの円形であった。図７に示す蛍光と反射光とを同時に計測することができるＤＮＡマイクロアレイスキャナーによって、ＤＮＡ溶液をスタンプした基板からの蛍光および反射光の計測を行った（図９）。（ａ）が蛍光像、（ｂ）が反射光像、（ｃ）が二つの画像の重ね合わせである。ここで使用したＤＮＡマイクロアレイスキャナーでは、蛍光像は赤色で、反射像は緑色で表示される。円形のスポットでは、赤色で表示された円形の蛍光像が観察でき、また、正方形のスポットでは、赤色で表示された正方形の蛍光像が観察できた。また、これらの蛍光像を、緑色で表示された反射像と重ね合わせたところ、蛍光像のスポットの形と一致したことから、ＤＮＡスタンプ溶液が、基板上の突出スポット部頂上のスポット用平面のみにスタンピングされたことが証明された。このように、本発明の基板によれば、反射像により、基板上の突出スポット部頂上のスポット用平面の位置および大きさを認識し、ＤＮＡがスタンプされた領域を特定することができる。
なお、本実施例で使用したスキャナーの反射用の焦点深度は５００μｍであったため、突出スポット部周辺の基板表面（突出スポット部頂上のスポット平面との高低差：５０μｍ）からの反射光も、スポット平面からの反射光とほぼ同様の強度で検出された。但し、本実施例では、突出スポット部周辺の基板表面と、突出スポット部側面とのなす角が、１１０度であったため、反射像で、側面部に相当する部分が黒い縁取りとして表れることにより、スポットの位置および大きさを特定することができた。
【００７２】
実施例３
電気泳動によるハイブリダイゼーションの促進効果の検証（直流電荷）
実施例１で得られた核酸マイクロアレイ用基板の突出スポット部頂上のスポット用平面に、チオール化DNAプローブ（tatgacaatg aatacggcta cagcaacagg gtggtggacc tcatg(配列番号２)、遺伝子名GAPDH）を固定化し、蛍光標識マウス脳ｃＲＮＡをターゲットとしてハイブリダイゼーションを行った。
ＤＮＡマイクロアレイとＩＴＯ電極を向かい合うようにし、その間に絶縁のために０．１７ｍｍのガラスをはさみ、基板と電極とをクリップにより固定した。０．１７ｍｍの空間に上記ターゲットを含有するハイブリダイゼーション溶液（ｃＲＮＡ：１．４５μｇ（ｍＲＮＡ ０．０５μｇに相当）、ハイブリダイゼーションバッファー：５０ｍＭヒスチジン）を入れ、ＤＮＡマイクロアレイ側には、プラス電極をつなぎ、ＩＴＯ電極には、マイナス電極をつなぎ、室温で、３Ｖの直流電荷を２分間かけた。その後、２×ＳＳＣ＋０．１％ ＳＤＳ、１×ＳＳＣ（150mM塩化ナトリウム、15mMクエン酸ナトリウム）、０．１×ＳＳＣで洗浄を行った。
図７に示す蛍光と反射光とを同時に計測することができるＤＮＡマイクロアレイスキャナーによって、このマイクロアレイを観察した結果、図１０に示すように、電荷をかけたもの（ｃ）では、電荷をかけなかったもの（ｂ）に比べ明らかに高い蛍光シグナルが得られ、電気泳動により、ハイブリダイゼーションの促進効果があることが明らかとなった。またこの蛍光像を、反射像（ａ）と重ね合わせれば、ハイブリダイゼーションの生じたスポットを特定することができる。
【００７３】
実施例４
誘電泳動によるハイブリダイゼーションの促進効果の検証（交流電荷）
実施例１で得られた核酸マイクロアレイ用基板の突出スポット部頂上のスポット用平面に、５種類のDNAプローブ（配列番号３：ggccgttctgcttacagtggcttgcagagcagctcctacttgatg・遺伝子名NFL、配列番号４：gtaccaacattgcctcctagcagagaagtgtgtgtgtgagaagcc・遺伝子名Ubiquitin2e、配列番号５：ttttgtccccccaacttgatgtatgaaggctttggtctccctggg 遺伝子名β-actin、配列番号６：gcagtggcaaagtggagattgttgccatcaacgaccccttcattg 遺伝子名gapdh、配列番号７：agccaggaaatttgtcgagagcgcagccacttctttcagtgttgc 遺伝子名psbP）を末端固定し、5'蛍光Cy3標識した各相補オリゴＤＮＡをターゲットとしてハイブリダイゼーションを行った。ハイブリダイゼーション溶液は50mMヒスチシ゛ンとし、各相補鎖オリゴＤＮＡの最終ターゲット濃度を、配列番号３のＤＮＡプローブについては0.001μM、配列番号４のＤＮＡプローブについては0.01μM、配列番号５のＤＮＡプローブについては0.1μM、配列番号６のＤＮＡプローブについては1μM、配列番号７のＤＮＡプローブについては0μM（無添加）として調製混合した。マイクロアレイと対向金電極を向かい合うようにし、その間に絶縁のために0.03mmのゴムシートをはさみ、マイクロアレイと電極とをクリップにより固定した。0.03mmの空間に上記ターゲットを有するハイブリダイゼーション溶液を入れ、マイクロアレイと対向金電極とを、電源・発振器につなぎ、1MHz、0.2MV/mの交流電荷を２分間かけた。図７に示す蛍光と反射光とを同時に計測することができるＤＮＡマイクロアレイスキャナーによって、このマイクロアレイを観察した結果、図１１に示すように、電荷をかけたもの（ａ）では、電荷をかけなかったもの（ｂ）に比べ明らかに高い蛍光シグナルが得られた。ターゲット濃度と蛍光強度との相関を、図１２に示す。図１１および図１２より、マイクロアレイと対向電極との間に交流電荷を印加することによって、誘電泳動によるハイブリダイゼーションの促進効果が得られることがわかる。また、本実施例で、ターゲット濃度に依存した蛍光シグナルが得られていること、および、ネガティブコントロールでシグナルが検出されなかったことから、蛍光強度により、ハイブリダイゼーションの程度を測定することができることがわかる。また、図１１（ａ）の蛍光像を、図１１（ｃ）の反射像と重ね合わせれば、ハイブリダイゼーションの生じたスポットを特定することができる。
【００７４】
実施例５
誘電泳動によるハイブリダイゼーションにおけるバッファーの影響
実施例１で作製した基板に、高密度アレイヤーにより、プローブＤＮＡ溶液（1×マイクロスポッティング溶液 (テレケム社)、0.1%Tween20）を、１８０μＭの濃度でスタンプした。スタンプしたプローブ遺伝子はGAPDH（5'-gcagtggcaa agtggagatt gttgccatca acgacccctt cattg-3'(配列番号８)）であり、5'側にアレイ用リンカー（日清紡績（株））修飾を施したものを使用した。スタンプ後処理として、基板を600mJ/cm2でUV照射し、超純水で5min.×2回洗浄し乾燥させた。ターゲットDNA溶液（1μM 5'末端Cy3蛍光-オリゴＤＮＡ（プローブＤＮＡの相補的な配列）、10〜50mMのフェニルアラニン、ヒスチジン、カルノシン、またはアルギニン含有バッファー）を調製した後、前記アレイを４５℃にセットしたサーマルサイクラー上に置き、３０μm厚の絶縁フィルム（帝人デュポンフィルム）をスペーサーとしてアレイ周辺部に配置し、ターゲットＤＮＡ溶液２０μｌをスタンプエリアにアプライした。引続き、ITO（インジウム・酸化スズ）膜でコートしたスライドグラス基板（対向電極）をかぶせ、両基板を固定した（図６）。マイクロアレイと対向電極との間に、10分間1MHz・Ｖｐ-ｐ０〜５０Ｖの電界を印加しながらハイブリダイゼーション反応を行った。反応後、アレイを洗浄した後にハイブリダイゼーションシグナル強度を算出した。結果を図１４に示す。（ａ）は、印加電界とハイブリダイゼーションシグナル強度との相関を示すグラフであり、（ｂ）は、電界を印加せずにハイブリダイゼーションを行った場合に得られたシグナルとの強度比（以下、「シグナル増加率」ともいう）を示すグラフである。更に、下記表１に、各バッファーについて、シグナル増加率が最大であった電界における結果をまとめた。表１に示したように、無電界ハイブリダイゼーションと比べて、フェニルアラニンは、電界0.8M Vp-p/mにおいて6.54倍、L-ヒスチジンは、電界0.78M Vp-p/mにおいて3.66倍、カルノシンは、電界0.53M Vp-p/mにおいて2.16倍、L-アルギニンは、電界0.25M Vp-p/mにおいて2.66倍のハイブリダイゼーションシグナル増加率を示した（図3-1,2：図番は後で変更）。これらの結果から、フェニルアラニン、ヒスチジン、カルノシン、アルギニンを含むバッファーを用いた場合に、特に、フェニルアラニンを用いた場合に、本発明の生体分子相互作用促進方法において、高いハイブリダイゼーション促進効果が得られることがわかる。
【００７５】
【表１】
2005024532.tif 000002
【００７６】
実施例６
実サンプルｃＤＮＡを用いた誘電ハイブリダイゼーション促進効果
実施例１で作製した基板に、高精度アレイヤーによりプローブDNA溶液（1×マイクロスポッティング溶液(テレケム社)、0.1%Tween20）を、180μMの濃度でスタンプした。スタンプした１１種類のプローブ遺伝子名と配列は下記表２に記載の通りであり、5'側にアレイ用リンカー（日清紡績（株））修飾を施したものを使用した。スタンプ後処理として、基板を600mJ/cm2でUV照射し、超純水で5min.×2回洗浄し乾燥させた。
ターゲットDNA溶液（5ng/μl Cy3-マウス脳cDNA、50mM L-ヒスチジン）を調製した後、95℃で1分間加熱し、2分間室温に放置した。こうして得られたＤＮＡマイクロアレイを、45℃にセットしたサーマルサイクラー上に置き、30μm厚の絶縁フィルム（帝人デュポンフィルム）をスペーサーとしてアレイ周辺部に配置し、ターゲットDNA溶液20μｌをスタンプエリアにアプライした。引続きITO（インジウム・酸化スズ）膜でコートしたスライドグラス基板（対向電極）をかぶせ、両基板を固定した。
マイクロアレイと対向電極との間に20分間1MHzで、３０Vp-pで電界を印加しながらハイブリダイゼーション反応を行った。反応後、アレイを2×SSC/0.1%SDS、１×SSC、0.2×SSC溶液により、各々5分間室温で洗浄した後、蛍光スキャナー（ジーンスコープＩＩ（Gene Scope ＩＩ）;ジーンフォーカス（Gene Focus）社製）でハイブリダイゼーションシグナル強度を算出した。各配列について、電界を印加しなかった場合に得られたシグナルと電界を印加した場合に得られたシグナルとの強度比を、図１５上欄に示す。各配列について、電界印加時のシグナル強度を縦軸に、電界を印加しなかった場合のシグナルを横軸にとってプロットして得られたグラフを、図１５下欄に示す。
図１５に示すように、各種配列に対して、電界を印加した場合には、電界を印加しなかった場合と比べて、５倍強の蛍光シグナル強度の増加が示された（図１５）。
【００７７】
【表２】
2005024532.tif 000003
【図面の簡単な説明】
【００７８】
【図１】本発明で使用される共焦点型検出器の光学系の概略図である。
【図２】本発明の基板上の突出スポット部の概略図である。
【図３】本発明の基板の粗面化されたスポット用平面の一例（部分拡大図）を示す。
【図４】略Ｖ字型底面を有する基板の一部の拡大図を示す。
【図５】本発明の第二の態様の基板の一例を示す。
【図６】本発明の生体分子の相互作用促進用装置の概略図を示す。
【図７】反射光と蛍光とを同時に検出することができる共焦点型スキャナーの光学系の概略図を示す。
【図８】実施例１で作製した基板のデジタルカメラ像および共焦点顕微鏡像である。
【図９】実施例２で得られた蛍光像（ａ）、反射像（ｂ）、および、蛍光像と反射像とを重ね合わせた像（ｃ）である。
【図１０】実施例３で得られた反射像および蛍光像である。
【図１１】実施例４で得られた反射像および蛍光像である。
【図１２】実施例４におけるターゲット濃度と蛍光強度との相関を示すグラフである。
【図１３】本発明の生体分子を相互作用させる方法に使用することができる基板の一例である。
【図１４】実施例５で得られたハイブリダイゼーションシグナル強度を示すグラフである。
【図１５】実施例６において、電界を印加した場合に得られたハイブリダイゼーションシグナルと電界を印加しなかった場合に得られたハイブリダイゼーションシグナルを比較したグラフである。
【図１】
2005024532.tif 000004
【図２】
2005024532.tif 000005
【図４】
2005024532.tif 000006
【図５】
2005024532.tif 000007
【図６】
2005024532.tif 000008
【図７】
2005024532.tif 000009
【図１２】
2005024532.tif 000010
【図１３】
2005024532.tif 000011
【図１５】
2005024532.tif 000012
【図３】
2005024532.tif 000013
【図８】
2005024532.tif 000014
【図９】
2005024532.tif 000015
【図１０】
2005024532.tif 000016
【図１１】
2005024532.tif 000017
【図１４】
2005024532.tif 000018
【配列表】
2005024532000001.app